(57)【要約】【課題】ユーザが位置合わせを容易に行うことが可能な電子機器を提供すること。【解決手段】電子機器１は、平面である正面ＦＳと背面ＲＳとを有する平板状の筐体１０を備える電子機器である。電子機器１は、筐体１０の内部にて、正面ＦＳと平行でない略平面であるアンテナ面ＰＬ１内に配置されたループ状のアンテナを備える。【選択図】図２５
2013089137.tif 000002
【特許請求の範囲】
【請求項１】
平面である正面と背面とを有する平板状の筐体を備える電子機器であって、
前記筐体の内部にて、前記正面と平行でない略平面であるアンテナ面内に配置されたループ状のアンテナを備える電子機器。
【請求項２】
請求項１に記載の電子機器であって、
前記筐体の内部にて、前記正面と略平行に配置された平板状の基板と、
前記筐体の内部にて、前記正面と略平行に、且つ、前記基板よりも前記背面側に配置された平板状のバッテリと、
を備え、
前記アンテナ面が、前記基板、及び、前記バッテリと交わらないように構成された電子機器。
【請求項３】
請求項１又は請求項２に記載の電子機器であって、
前記基板、及び、前記バッテリのうちの、前記アンテナ面に直交する方向であるアンテナ法線方向における、前記アンテナ面との間の距離が最も短い部分が、当該アンテナ法線方向にて当該電子機器を見た場合に、前記アンテナの外側に位置するように構成された電子機器。
【請求項４】
請求項１乃至請求項３のいずれかに記載の電子機器であって、
前記筐体は、正面視において４つの辺を有する長方形状を有し、
前記アンテナは、前記４つの辺の１つであるアンテナ配設辺の近傍にて、当該アンテナ配設辺に沿って伸びるように配設された電子機器。
【請求項５】
請求項４に記載の電子機器であって、
前記アンテナは、前記筐体の端に近づくにつれて、前記アンテナ面と前記正面との間の距離が短くなるように配設された電子機器。
【請求項６】
請求項１乃至請求項５のいずれかに記載の電子機器であって、
前記背面の端部は、前記筐体の端に近づくにつれて、当該背面と前記正面との間の距離が短くなるように湾曲する電子機器。
【請求項７】
請求項１乃至請求項６のいずれかに記載の電子機器であって、
前記アンテナは、前記筐体の内壁面のうちの、前記背面側の部分に当接するように構成された電子機器。
【発明の詳細な説明】
【技術分野】
【０００１】
本発明は、ループ状のアンテナを備える電子機器に関する。
【背景技術】
【０００２】
ループ状のアンテナを備える電子機器が知られている。この種の電子機器の一つとして、特許文献１に記載の電子機器は、平面である正面と背面とを有する平板状の筐体を備える。更に、電子機器は、筐体の内部にて、正面と平行な平面であるアンテナ面内に配置されたループ状のアンテナを備える。
【０００３】
この電子機器によれば、リーダ・ライタ装置等の外部装置が有するループ状のアンテナ（外部装置側アンテナ）により形成される平面と、電子機器が有するアンテナ（電子機器側アンテナ）により形成される平面（アンテナ面）と、を平行に配置するとともに、位置合わせを行うことにより、外部装置と電子機器との間で通信を行うことができる。
【０００４】
位置合わせは、外部装置側アンテナにより形成される平面内の予め定められた位置（外部装置側基準位置）に、電子機器側アンテナの予め定められた位置（電子機器側基準位置）を十分に近づけることである。
【先行技術文献】
【特許文献】
【０００５】
【特許文献１】特開２００７−３００５７９号公報
【発明の概要】
【発明が解決しようとする課題】
【０００６】
ところで、上記電子機器において、アンテナ面は、筐体の正面と平行である。従って、外部装置側アンテナにより形成される平面と、アンテナ面と、を平行に配置した場合、電子機器によって外部装置側基準位置が隠される。その結果、ユーザが位置合わせを行うことが困難である、という問題があった。
【０００７】
このため、本発明の目的は、上述した課題である「ユーザが位置合わせを行うことが困難であること」を解決することが可能な電子機器を提供することにある。
【課題を解決するための手段】
【０００８】
かかる目的を達成するため本発明の一形態である電子機器は、平面である正面と背面とを有する平板状の筐体を備える電子機器である。
更に、この電子機器は、
上記筐体の内部にて、上記正面と平行でない略平面であるアンテナ面内に配置されたループ状のアンテナを備える。
【発明の効果】
【０００９】
本発明は、以上のように構成されることにより、ユーザが位置合わせを容易に行うことができる。
【図面の簡単な説明】
【００１０】
【図１】本発明の第１実施形態に係る電子機器の正面図である。
【図２】本発明の第１実施形態に係る電子機器の背面図である。
【図３】本発明の第１実施形態に係る電子機器の左側面図である。
【図４】本発明の第１実施形態に係る電子機器の右側面図である。
【図５】本発明の第１実施形態に係る電子機器の上側面図である。
【図６】本発明の第１実施形態に係る電子機器の下側面図である。
【図７】図２のＶＩＩ−ＶＩＩ線により電子機器を切断した断面図である。
【図８】図７の破線により示した領域を拡大した断面図である。
【図９】図２のＩＸ−ＩＸ線により電子機器を切断した断面図である。
【図１０】図９の破線により示した領域を拡大した断面図である。
【図１１】図２のＸＩ−ＸＩ線により電子機器を切断した断面図である。
【図１２】図１１の破線により示した領域を拡大した断面図である。
【図１３】本発明の第１実施形態に係るアンテナユニットを電子機器に取り付ける前のアンテナユニットの正面図である。
【図１４】本発明の第１実施形態に係るアンテナユニットを電子機器に取り付ける前のアンテナユニットの背面図である。
【図１５】本発明の第１実施形態に係るアンテナユニットを電子機器に取り付ける前のアンテナユニットの左側面図である。
【図１６】本発明の第１実施形態に係るアンテナユニットを電子機器に取り付ける前のアンテナユニットの右側面図である。
【図１７】本発明の第１実施形態に係るアンテナユニットを電子機器に取り付ける前のアンテナユニットの上側面図である。
【図１８】本発明の第１実施形態に係るアンテナユニットを電子機器に取り付ける前のアンテナユニットの下側面図である。
【図１９】本発明の第１実施形態に係るアンテナユニットを電子機器に取り付けた後の、筐体の背面から正面へ向かう方向にてアンテナユニットを見た図である。
【図２０】本発明の第１実施形態に係るアンテナユニットを電子機器に取り付けた後の、筐体の正面から背面へ向かう方向にてアンテナユニットを見た図である。
【図２１】図１９における左側からアンテナユニットを見た左側面図である。
【図２２】図１９における右側からアンテナユニットを見た右側面図である。
【図２３】図１９における上側からアンテナユニットを見た上側面図である。
【図２４】図１９における下側からアンテナユニットを見た下側面図である。
【図２５】基板の位置と、バッテリの位置と、アンテナ配設部の位置と、の間の関係を模式的に示した説明図である。
【図２６】第１比較例に係る電子機器における、基板の位置と、バッテリの位置と、アンテナ配設部の位置と、の間の関係を模式的に示した説明図である。
【図２７】第２比較例に係る電子機器における、基板の位置と、バッテリの位置と、アンテナ配設部の位置と、の間の関係を模式的に示した説明図である。
【図２８】第３比較例に係る電子機器を用いるユーザが位置合わせを行う際の状態を概念的に示した説明図である。
【図２９】本発明の第１実施形態に係る電子機器を用いるユーザが位置合わせを行う際の状態を概念的に示した説明図である。
【図３０】本発明の第１実施形態の第１変形例に係る電子機器における、基板の位置と、バッテリの位置と、アンテナ配設部の位置と、の間の関係を模式的に示した説明図である。
【図３１】本発明の第１実施形態の第１変形例に係る電子機器における、基板の位置と、バッテリの位置と、アンテナ配設部の位置と、の間の関係を模式的に示した説明図である。
【発明を実施するための形態】
【００１１】
以下、本発明に係る電子機器の各実施形態について図１〜図３１を参照しながら説明する。
【００１２】
＜第１実施形態＞
（構成）
図１に示したように、第１実施形態に係る電子機器１は、携帯電話端末（本例では、スマートフォン）である。なお、電子機器１は、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、タブレット端末、パーソナル・コンピュータ、又は、ゲーム端末等であってもよい。
【００１３】
図１は、電子機器１の正面図である。図２は、電子機器１の背面図である。図３は、図１における左側から電子機器１を見た左側面図である。図４は、図１における右側から電子機器１を見た右側面図である。図５は、図１における上側から電子機器１を見た上側面図である。図６は、図１における下側から電子機器１を見た下側面図である。
【００１４】
図７は、図２のＶＩＩ−ＶＩＩ線により電子機器１を切断した断面図である。図８は、図７の破線により示した領域ＭＡ８を拡大した断面図である。図９は、図２のＩＸ−ＩＸ線により電子機器１を切断した断面図である。図１０は、図９の破線により示した領域ＭＡ１０を拡大した断面図である。図１１は、図２のＸＩ−ＸＩ線により電子機器１を切断した断面図である。図１２は、図１１の破線により示した領域ＭＡ１２を拡大した断面図である。
【００１５】
図１乃至図６に示したように、電子機器１は、平板状の、正面視において４つの辺を有する長方形状を有する筐体１０を備える。筐体１０は、平面である正面ＦＳと、背面ＲＳと、側面ＳＳと、を有する。本例では、ユーザの手の大きさが異なっていてもユーザが電子機器１を保持しやすいように筐体１０の短辺方向における背面ＲＳの端部は、筐体１０の端に近づくにつれて、背面ＲＳと正面ＦＳとの間の距離が短くなるように湾曲している。
【００１６】
なお、筐体１０の短辺方向における背面ＲＳの端部は、筐体１０の端に近づくにつれて、背面ＲＳと正面ＦＳとの間の距離が短くなるように屈曲していてもよい。また、筐体１０の短辺方向における背面ＲＳの端部は、筐体１０の端に近づくにつれて、背面ＲＳと正面ＦＳとの間の距離が長くなるように、湾曲又は屈曲していてもよい。また、筐体１０の短辺方向において、背面ＲＳと正面ＦＳとの間の距離は、同一の長さであってもよい。
【００１７】
なお、電子機器１は、２つの筐体を備えていてもよい。この場合、電子機器１は、本発明が、両方の筐体に適用されるように構成されていてもよく、一方の筐体のみに適用されるように構成されていてもよい。例えば、電子機器１は、折り畳み式、又は、スライド式の電子機器であってもよい。
【００１８】
筐体１０は、フロントケース１１と、リヤケース１２と、リヤカバー１３と、ディスプレイ１４と、を備える。フロントケース１１は、筐体１０の正面ＦＳの一部を主に構成する。リヤケース１２は、筐体１０の背面ＲＳの一部と、筐体１０の側面ＳＳと、を主に構成する。リヤカバー１３は、筐体１０の背面ＲＳの一部を主に構成する。ディスプレイ１４は、筐体１０の正面ＦＳの一部を主に構成する。ディスプレイ１４は、情報を表示する。
【００１９】
更に、電子機器１は、図７乃至図１２に示したように、基板１５と、バッテリ１６と、アンテナユニット１７と、を備える。
【００２０】
基板１５は、平板状に形成される。基板１５は、筐体１０の内部にて、正面ＦＳと略平行に配置される。本例では、基板１５は、フロントケース１１に固定されている。基板１５は、後述するアンテナユニット１７の端子１７３ａ，１７３ｂを押圧するためのバネ接点１５ａ，１５ｂを備える。
【００２１】
バッテリ１６は、複数のセルを並べることにより平板状に形成される。バッテリ１６は、筐体１０の内部にて、正面ＦＳと略平行に配置される。更に、バッテリ１６は、基板１５よりも背面ＲＳ側に配置される。バッテリ１６は、基板１５と接続される。バッテリ１６は、蓄電されている電力を基板１５へ供給する。なお、バッテリ１６は、１つの円柱状のセルにより構成されていてもよい。即ち、バッテリ１６は、平板状に形成されていなくてもよい。
【００２２】
アンテナユニット１７は、磁界の変化によって情報を伝達する近距離無線通信（非接触通信）を行うためのアンテナを有する。なお、アンテナユニット１７は、磁界の変化によって（即ち、端子等によって電気的に接続されることなく）電力を伝送する非接触電力伝送を行うためのアンテナを有していてもよい。
【００２３】
先ず、アンテナユニット１７を電子機器１に取り付ける前のアンテナユニット１７について説明する。
【００２４】
図１３は、アンテナユニット１７を電子機器１に取り付ける前のアンテナユニット１７の正面図である。図１４は、アンテナユニット１７を電子機器１に取り付ける前のアンテナユニット１７の背面図である。図１５は、図１３における左側からアンテナユニット１７を見た左側面図である。図１６は、図１３における右側からアンテナユニット１７を見た右側面図である。図１７は、図１３における上側からアンテナユニット１７を見た上側面図である。図１８は、図１３における下側からアンテナユニット１７を見た下側面図である。
【００２５】
図１３乃至図１８に示したように、アンテナユニット１７は、基部１７ａと、スペーサ１７ｂと、を備える。
基部１７ａは、正面ＭＳと背面ＮＳとを有するシート状に形成される。基部１７ａは、アンテナ配設部１７１と、被固定部１７２と、端子部１７３と、を備える。
【００２６】
アンテナ配設部１７１は、長辺と短辺とを有する長方形状を有する。アンテナ配設部１７１には、図示しないループ状のアンテナが配設される。即ち、アンテナ配設部１７１により形成される平面は、アンテナが配置された平面（アンテナ面）である。
【００２７】
ループ状のアンテナを構成する配線は、長方形状を有していてもよいし、楕円形状を有していてもよい。上述したように、本例では、ループ状のアンテナは、平面に配置されている。なお、ループ状のアンテナを構成する配線は、略円筒形状を有していてもよい。この場合、ループ状のアンテナを構成する配線のうちの、最も背面ＲＳ側の面が、アンテナ面を構成している、と言うことができる。
【００２８】
また、アンテナの内部にて磁界の変化が起こりやすくなるように、透磁率が比較的高い部材（例えば、フェライト材）を配置することが好適である。更に、電子機器１が備えるループ状のアンテナの中心位置と、リーダ・ライタ装置等の外部装置が備えるループ状のアンテナの中心位置と、が若干ずれていても通信を行えるように磁界を誘導する、透磁率が比較的高い部材を、電子機器１が備えるループ状のアンテナと、筐体１０と、間に配置することも好適である。
【００２９】
なお、本例では、筐体１０の背面ＲＳには、上述した、磁界を誘導するための部材を配置するとともに、図２に示したように、アンテナの中心位置を示すマークを、実際の中心位置から若干ずれた位置に描いている。
【００３０】
被固定部１７２は、長辺と短辺とを有する長方形状を有する。被固定部１７２の短辺方向における長さは、アンテナ配設部１７１の短辺方向における長さと略同じである。被固定部１７２は、中央部にて貫通穴ＨＬ１が形成されている。貫通穴ＨＬ１は、長辺と短辺とを有する長方形状を有する。
【００３１】
被固定部１７２は、アンテナ配設部１７１と屈曲可能に連結される。本例では、被固定部１７２とアンテナ配設部１７１とは、フレキシブルプリント基板（ＦＰＣ；Ｆｌｅｘｉｂｌｅ  Ｐｒｉｎｔｅｄ  Ｃｉｒｃｕｉｔｓ）１７４により連結される。具体的には、ＦＰＣ１７４は、被固定部１７２の短辺方向における端と、アンテナ配設部１７１の短辺方向における端と、を連結する。
【００３２】
端子部１７３は、長辺と短辺とを有する長方形状を有する。端子部１７３の短辺方向における長さは、貫通穴ＨＬ１の短辺方向における長さよりも短い。端子部１７３の長辺方向における長さは、貫通穴ＨＬ１の長辺方向における長さよりも短い。
【００３３】
本例では、後述するように、端子部１７３を屈曲させる際の端子部１７３の取り出しやすさ、及び、組み立て性のため、並びに、貫通孔ＨＬ２の大きさを小さくするために、端子部１７３の長さは、貫通穴ＨＬ１よりも短くされている。なお、端子部１７３の長さは、貫通穴ＨＬ１よりも長くされていてもよい。また、アンテナ配設部１７１と、被固定部１７２と、端子部１７３と、は同一のフレキシブルプリント基板により構成されることにより、電気的に接続されていてもよい。
【００３４】
端子部１７３は、基部１７ａの正面ＭＳ（即ち、後述するように、アンテナ配設部１７１のうちの、スペーサ１７ｂが形成された面と同じ側の面）にて外部に露出する端子１７３ａ，１７３ｂを有する。端子１７３ａ，１７３ｂは、アンテナと電気的に接続されている。
【００３５】
被固定部１７２は、端子部１７３と屈曲可能に連結される。本例では、被固定部１７２と端子部１７３とは、ＦＰＣ１７５により連結される。具体的には、ＦＰＣ１７５は、端子部１７３の長辺方向における端と、被固定部１７２のうちの、貫通穴ＨＬ１を形成する縁部の一部（本例では、貫通穴ＨＬ１の長辺方向における一端と隣接する部分）と、を連結する。即ち、被固定部１７２は、貫通穴ＨＬ１の内部に位置している。
【００３６】
スペーサ１７ｂは、アンテナ配設部１７１の一方の面（本例では、基部１７ａの正面ＭＳ）に形成される。スペーサ１７ｂは、長辺と短辺とを有する長方形状を有する。スペーサ１７ｂの短辺方向における長さは、アンテナ配設部１７１の短辺方向における長さの略半分である。スペーサ１７ｂの長辺方向における長さは、貫通穴ＨＬ１の長辺方向における長さと略同じである。
【００３７】
本例では、スペーサ１７ｂは、長方形状を有し、アンテナ配設部１７１の形状に合わせるように、短辺、及び、長辺の長さが設定されていた。ところで、スペーサ１７ｂは、後述するように、アンテナ面を正面ＦＳと平行でない平面に保持可能な範囲において、任意の形状を有していてもよく、また、複数の部材により構成されていてもよい。
【００３８】
更に、スペーサ１７ｂは、アンテナ配設部１７１の短辺方向における端のうちの、アンテナ配設部１７１が被固定部１７２と連結されている端と反対側の端に近づくにつれて、基部１７ａに直交する方向（即ち、厚み方向）における長さが長く（即ち、厚く）なるように形成されている。
【００３９】
即ち、スペーサ１７ｂは、アンテナ配設部１７１を被固定部１７２に対して屈曲させた状態において、アンテナ配設部１７１と被固定部１７２とを離隔させるように構成される。更に、スペーサ１７ｂは、アンテナ配設部１７１により形成される平面を、被固定部１７２により形成される平面に対して傾斜させるように構成される。
【００４０】
次に、アンテナユニット１７を電子機器１に取り付けた後のアンテナユニット１７について説明する。
【００４１】
図１９は、アンテナユニット１７を電子機器１に取り付けた後の背面ＲＳから正面ＦＳへ向かう方向にてアンテナユニット１７を見た図である。図２０は、アンテナユニット１７を電子機器１に取り付けた後の正面ＦＳから背面ＲＳへ向かう方向にてアンテナユニット１７を見た図である。
【００４２】
図２１は、図１９における左側からアンテナユニット１７を見た左側面図である。図２２は、図１９における右側からアンテナユニット１７を見た右側面図である。図２３は、図１９における上側からアンテナユニット１７を見た上側面図である。図２４は、図１９における下側からアンテナユニット１７を見た下側面図である。
【００４３】
アンテナユニット１７は、図７乃至図１２に示したように、筐体１０の内部のうちの、筐体１０が有する４つの辺の１つであるアンテナ配設辺（本例では、筐体１０の長辺の１つ、より具体的には、図２における右側の辺）の近傍にて、当該アンテナ配設辺に沿って伸びるように配設される。
【００４４】
即ち、アンテナユニット１７は、アンテナ配設部１７１の長辺方向がアンテナ配設辺と平行になるように配置される。換言すると、アンテナは、アンテナ配設辺の近傍にて、当該アンテナ配設辺に沿って伸びるように配設される、と言うこともできる。
【００４５】
リヤケース１２は、ユニット配置部１２ａを備える。ユニット配置部１２ａは、アンテナ配設辺の近傍にて、正面ＦＳと平行に且つ平板状に形成されている。ユニット配置部１２ａには、貫通穴ＨＬ１と略同じ大きさを有する貫通穴ＨＬ２が形成されている。
【００４６】
アンテナユニット１７は、貫通穴ＨＬ１の位置と、貫通穴ＨＬ２の位置と、を一致させた状態にて、被固定部１７２の背面ＮＳとユニット配置部１２ａの背面ＲＳ側の表面とが両面粘着テープＴＰ１を介して接着されることによりリヤケース１２に固定される。即ち、被固定部１７２は、正面ＦＳと平行に配置される。
【００４７】
本例では、貫通孔ＨＬ１、及び、貫通孔ＨＬ２の大きさは、略同じであった。なお、貫通孔ＨＬ１、及び、貫通孔ＨＬ２の大きさは、異なっていてもよい。また、貫通孔ＨＬ１、及び、貫通孔ＨＬ２の位置を一致させやすいように、アンテナユニット１７の外形に沿ったガイド状のリブが筐体１０に形成されることが好適である。更に、貫通孔ＨＬ１、及び、貫通孔ＨＬ２の位置を一致させやすいように、アンテナユニット１７に位置決め用の貫通孔が形成され、且つ、その貫通孔へ挿入されるガイドピンがユニット配置部１２ａに形成されることが好適である。また、端子部１７３の幅が貫通孔ＨＬ２の幅と略同じであってもよい。
【００４８】
更に、被固定部１７２の正面ＭＳには、貫通穴ＨＬ１及び貫通穴ＨＬ２を塞ぐように、防水フィルムＦＬが両面粘着テープＴＰ２を介して接着される。
【００４９】
アンテナ配設部１７１は、図７乃至図１２及び図１９乃至図２４に示したように、スペーサ１７ｂと、被固定部１７２に接着された防水フィルムＦＬと、が当接するように、被固定部１７２に対して、被固定部１７２の短辺方向（即ち、アンテナ配設部１７１の短辺方向）にて屈曲される。アンテナ配設部１７１は、筐体１０の内壁面のうちの、背面ＲＳ側の部分と、アンテナ配設部１７１の背面ＮＳと、が両面粘着テープＴＰ３を介して接着されることにより筐体１０に固定される。
【００５０】
更に、アンテナユニット１７は、アンテナ配設部１７１と被固定部１７２とが連結されている部分（即ち、ＦＰＣ１７４）が、筐体１０のアンテナ配設辺側（即ち、図７乃至図１０における右側の端）に配置されるように配設される。
【００５１】
このような構成により、アンテナユニット１７は、正面ＦＳ（筐体１０が形成する平面）と平行な平面にて、アンテナ配設辺と直交する方向（即ち、図７乃至図１０における左右方向）において、筐体１０の端（本例では、アンテナ配設辺）に近づくにつれて、アンテナ配設部１７１と被固定部１７２との間の距離が短くなるように配設される。
【００５２】
即ち、アンテナは、筐体１０の端（本例では、アンテナ配設辺）に近づくにつれて、アンテナ面と正面ＦＳとの間の距離が短くなるように配設される、と言うことができる。換言すると、アンテナ面は、正面ＦＳと平行でない平面である、と言うことができる。即ち、アンテナは、筐体１０の内部にて、正面ＦＳと平行でない平面であるアンテナ面内に配置されている、と言うことができる。
【００５３】
アンテナユニット１７は、図７乃至図１２及び図１９乃至図２４に示したように、端子部１７３が貫通穴ＨＬ２を通るように、端子部１７３が被固定部１７２に対して折り返されるように、端子部１７３の長辺方向（即ち、被固定部１７２の長辺方向）にて屈曲させられる。これにより、端子部１７３の背面ＮＳは、ユニット配置部１２ａの正面ＦＳ側の表面と当接する。
【００５４】
更に、基板１５上に配設されたバネ接点１５ａ，１５ｂは、端子部１７３が有する端子１７３ａ，１７３ｂをユニット配置部１２ａへ向けて押圧する。これにより、基板１５とアンテナとが接続される。
【００５５】
ここで、基板１５の位置と、バッテリ１６の位置と、アンテナ配設部１７１（即ち、アンテナ面）の位置と、の間の関係について説明を加える。
【００５６】
図２５は、基板１５の位置と、バッテリ１６の位置と、アンテナ配設部１７１の位置と、の間の関係を示すために、図８に示した電子機器１の拡大断面図を模式的に示した説明図である。
【００５７】
図２５に示したように、第１実施形態に係る電子機器１は、アンテナ面ＰＬ１が、基板１５、及び、バッテリ１６と交わらないように構成される。なお、基板１５の端部に金属が配置されていない領域（非金属領域）が存在する場合、アンテナ面ＰＬ１は、非金属領域と交わり、且つ、基板１５のうちの、非金属領域以外の部分と交わらないように構成されていてもよい。
【００５８】
ところで、図２６に示した第１比較例に係る電子機器においては、アンテナ面ＰＬ１は、バッテリ１６と交わっている。更に、アンテナ面ＰＬ１がバッテリ１６に近接し、且つ、バッテリ１６がアンテナ面ＰＬ１よりも基板１５の反対側に突出している。この電子機器においては、リーダ・ライタ装置等の外部装置によって形成される磁界（外部磁界）は、バッテリ１６に含まれる金属によって、比較的大きく乱される。従って、バッテリ１６に含まれる金属の影響を抑制するように、透磁率が比較的高い部材を配置することが好適である。なお、第１実施形態に係る電子機器１においては、バッテリ１６に含まれる金属の影響を受けにくい配置が採用されている。
【００５９】
更に、図２５に示したように、第１実施形態に係る電子機器１は、基板１５、及び、バッテリ１６のうちの、アンテナ面ＰＬ１に直交する方向であるアンテナ法線方向ＤＲ１における、アンテナ面ＰＬ１との間の距離が最も短い部分ＮＰ１が、アンテナ法線方向ＤＲ１にて電子機器１を見た場合に、アンテナの外側に位置するように構成される。
【００６０】
ところで、図２７に示した第２比較例に係る電子機器においては、基板１５、及び、バッテリ１６のうちの、アンテナ面ＰＬ１に直交する方向であるアンテナ法線方向ＤＲ１における、アンテナ面ＰＬ１との間の距離が最も短い部分ＮＰ１が、アンテナ法線方向ＤＲ１から電子機器１を見た場合に、アンテナの内側に位置している。この電子機器においては、リーダ・ライタ装置等の外部装置によって形成される磁界（外部磁界）は、バッテリ１６に含まれる金属によって、比較的大きく乱される。従って、バッテリ１６に含まれる金属の影響を抑制するように、透磁率が比較的高い部材を配置することが好適である。なお、第１実施形態に係る電子機器１においては、バッテリ１６に含まれる金属の影響を受けにくい配置が採用されている。
【００６１】
従って、この電子機器においては、バッテリ１６の部分ＮＰ１に含まれる金属が、アンテナ内に形成される外部磁界を比較的大きく乱す。これに対し、第１実施形態に係る電子機器１によれば、アンテナ内に形成される外部磁界が金属によって乱される程度を小さくすることができる。
【００６２】
ところで、リーダ・ライタ装置等の外部装置が有するループ状のアンテナ（外部装置側アンテナ）により形成される平面ＰＬ２と、電子機器が有するアンテナ（電子機器側アンテナ）により形成される平面（アンテナ面）ＰＬ１と、を平行に配置するとともに、位置合わせを行うことにより、外部装置と電子機器１との間で通信を行うことができる。
【００６３】
位置合わせは、外部装置側アンテナにより形成される平面ＰＬ２内の予め定められた位置（外部装置側基準位置）ＰＲＷに、電子機器側アンテナの予め定められた位置（電子機器側基準位置）を十分に近づけることである。
【００６４】
従って、アンテナ面ＰＬ１が正面ＦＳと平行である第３比較例に係る電子機器９０の場合、図２８に示したように、外部装置側アンテナにより形成される平面ＰＬ２と、アンテナ面ＰＬ１と、を平行に配置した場合、電子機器９０によって外部装置側基準位置ＰＲＷが隠される。その結果、ユーザが位置合わせを行うことが困難である。
【００６５】
これに対し、図２９に示したように、第１実施形態に係る電子機器１によれば、外部装置側アンテナにより形成される平面ＰＬ２と、筐体１０の正面ＦＳと、が平行でない状態において、外部装置側アンテナにより形成される平面ＰＬ２と、アンテナ面ＰＬ１と、が平行になる。
【００６６】
従って、筐体１０の正面ＦＳが、外部装置側アンテナにより形成される平面ＰＬ２と平行でない状態にて、電子機器１を移動させることにより、ユーザが位置合わせを行うことができる。従って、筐体の正面ＦＳが、外部装置側アンテナにより形成される平面ＰＬ２と平行である状態にて、電子機器９０を移動させる場合よりも、外部装置側アンテナにより形成される平面ＰＬ２が電子機器１によって隠される領域を小さくすることができる。この結果、ユーザが位置合わせを容易に行うことができる。
【００６７】
以上、説明したように、本発明の第１実施形態に係る電子機器１は、筐体１０の内部にて、正面ＦＳと平行でない平面であるアンテナ面ＰＬ１内に配置されたループ状のアンテナを備える。
【００６８】
これによれば、リーダ・ライタ装置等の外部装置が有するループ状のアンテナ（外部装置側アンテナ）により形成される平面ＰＬ２と、筐体１０の正面ＦＳと、が平行でない状態において、外部装置側アンテナにより形成される平面ＰＬ２と、アンテナ面ＰＬ１と、が平行になる。
【００６９】
従って、筐体１０の正面ＦＳが、外部装置側アンテナにより形成される平面ＰＬ２と平行でない状態にて、電子機器１を移動させることにより、ユーザが位置合わせを行うことができる。従って、筐体１０の正面ＦＳが、外部装置側アンテナにより形成される平面ＰＬ２と平行である状態にて、電子機器を移動させる場合よりも、外部装置側アンテナにより形成される平面ＰＬ２が電子機器１によって隠される領域を小さくすることができる。この結果、ユーザが位置合わせを容易に行うことができる。
【００７０】
更に、本発明の第１実施形態に係る電子機器１は、筐体１０の内部にて、正面ＦＳと略平行に配置された平板状の基板１５と、筐体１０の内部にて、正面ＦＳと略平行に、且つ、基板１５よりも背面ＲＳ側に配置された平板状のバッテリ１６と、を備え、アンテナ面ＰＬ１が、基板１５、及び、バッテリ１６と交わらないように構成される。
【００７１】
アンテナ面ＰＬ１が、基板１５、又は、バッテリ１６と交わる場合、外部装置側アンテナと、電子機器が有するアンテナ（電子機器側アンテナ）と、の間に金属が存在する可能性が比較的高くなる。従って、この場合、外部装置側アンテナによって形成される磁界（外部磁界）は、この金属によって、比較的大きく乱される。即ち、上記構成によれば、電子機器側アンテナ内に形成される外部磁界が金属によって乱される程度を小さくすることができる。
【００７２】
加えて、本発明の第１実施形態に係る電子機器１は、基板１５、及び、バッテリ１６のうちの、アンテナ面ＰＬ１に直交する方向であるアンテナ法線方向ＤＲ１における、アンテナ面ＰＬ１との間の距離が最も短い部分ＮＰ１が、アンテナ法線方向ＤＲ１にて電子機器１を見た場合に、アンテナの外側に位置するように構成される。
【００７３】
アンテナ法線方向ＤＲ１にて電子機器１を見た場合に、金属が、電子機器側アンテナの内側に位置している場合、この金属が、電子機器側アンテナ内に形成される外部磁界を比較的大きく乱す。従って、上記構成によれば、電子機器側アンテナ内に形成される外部磁界が金属によって乱される程度を小さくすることができる。
【００７４】
更に、本発明の第１実施形態に係る電子機器１において、筐体１０は、正面視において４つの辺を有する長方形状を有し、アンテナは、４つの辺の１つであるアンテナ配設辺の近傍にて、当該アンテナ配設辺に沿って伸びるように配設される。
【００７５】
これによれば、アンテナ配設辺を外部装置に最も近づけた状態にて電子機器１を移動させることにより、ユーザが位置合わせを行うことができる。従って、ユーザが容易に位置合わせを行うことができる。
【００７６】
加えて、本発明の第１実施形態に係る電子機器１において、アンテナは、筐体１０の内壁面のうちの、背面ＲＳ側の部分に当接するように構成される。
【００７７】
これによれば、筐体１０の内壁面のうちの、背面ＲＳ側の部分と離隔している場合よりも、電子機器側アンテナ内に形成される外部磁界の大きさを大きくすることができる。
【００７８】
なお、図３０に示したように、第１実施形態の第１変形例に係る電子機器１において、アンテナ配設部１７１（即ち、アンテナ面ＰＬ１）は、筐体１０の短辺方向と直交する平面と平行に配置されていてもよい。この場合、図３１に示したように、筐体１０は、短辺方向において、背面ＲＳと正面ＦＳとの間の距離が、同一の長さを有するように形成されていることが好適である。
【００７９】
なお、アンテナ配設部１７１とバッテリ１６との間の距離が長くなるほど、バッテリ１６に含まれる金属によって外部磁界が乱される程度も小さくなる。従って、フェライト部材を削減することができる。なお、アンテナ配設部１７１とバッテリ１６との間の適切な距離は、外部装置により形成される磁界の強さ、及び、アンテナにより囲まれる面積等によって決定されることが好適である。
【００８０】
また、第１実施形態の第２変形例に係る電子機器１において、アンテナ面ＰＬ１が、基板１５、及び、バッテリ１６の少なくとも一方と交わるように構成されていてもよい。
【００８１】
また、第１実施形態の第３変形例に係る電子機器１において、基板１５、及び、バッテリ１６のうちの、アンテナ面ＰＬ１に直交する方向であるアンテナ法線方向ＤＲ１における、アンテナ面ＰＬ１との間の距離が最も短い部分ＮＰ１が、アンテナ法線方向ＤＲ１にて電子機器１を見た場合に、アンテナの内側に位置していてもよい。
【００８２】
また、第１実施形態の第４変形例に係る電子機器１において、アンテナユニット１７は、スペーサ１７ｂを備えていなくてもよい。
【００８３】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００８４】
また、上記実施形態の他の変形例として、上述した実施形態及び変形例の任意の組み合わせが採用されてもよい。
【００８５】
＜付記＞
上記実施形態の一部又は全部は、以下の付記のように記載され得るが、以下には限られない。
【００８６】
（付記１）
平面である正面と背面とを有する平板状の筐体を備える電子機器であって、
前記筐体の内部にて、前記正面と平行でない略平面であるアンテナ面内に配置されたループ状のアンテナを備える電子機器。
【００８７】
これによれば、リーダ・ライタ装置等の外部装置が有するループ状のアンテナ（外部装置側アンテナ）により形成される平面と、筐体の正面と、が平行でない状態において、外部装置側アンテナにより形成される平面と、電子機器が有するアンテナ（電子機器側アンテナ）により形成される平面（アンテナ面）と、が平行になる。
【００８８】
従って、筐体の正面が、外部装置側アンテナにより形成される平面と平行でない状態にて、電子機器を移動させることにより、ユーザが位置合わせを行うことができる。従って、筐体の正面が、外部装置側アンテナにより形成される平面と平行である状態にて、電子機器を移動させる場合よりも、外部装置側アンテナにより形成される平面が電子機器によって隠される領域を小さくすることができる。この結果、ユーザが位置合わせを容易に行うことができる。
【００８９】
（付記２）
付記１に記載の電子機器であって、
前記筐体の内部にて、前記正面と略平行に配置された平板状の基板と、
前記筐体の内部にて、前記正面と略平行に、且つ、前記基板よりも前記背面側に配置された平板状のバッテリと、
を備え、
前記アンテナ面が、前記基板、及び、前記バッテリと交わらないように構成された電子機器。
【００９０】
アンテナ面が、基板、又は、バッテリと交わる場合、外部装置側アンテナと電子機器側アンテナとの間に金属が存在する可能性が比較的高くなる。従って、この場合、外部装置側アンテナによって形成される磁界（外部磁界）は、この金属によって、比較的大きく乱される。即ち、上記構成によれば、電子機器側アンテナ内に形成される外部磁界が金属によって乱される程度を小さくすることができる。
【００９１】
（付記３）
付記１又は付記２に記載の電子機器であって、
前記基板、及び、前記バッテリのうちの、前記アンテナ面に直交する方向であるアンテナ法線方向における、前記アンテナ面との間の距離が最も短い部分が、当該アンテナ法線方向にて当該電子機器を見た場合に、前記アンテナの外側に位置するように構成された電子機器。
【００９２】
アンテナ法線方向にて電子機器を見た場合に、金属が、電子機器側アンテナの内側に位置している場合、この金属が、電子機器側アンテナ内に形成される外部磁界を比較的大きく乱す。従って、上記構成によれば、電子機器側アンテナ内に形成される外部磁界が金属によって乱される程度を小さくすることができる。
【００９３】
（付記４）
付記１乃至付記３のいずれかに記載の電子機器であって、
前記筐体は、正面視において４つの辺を有する長方形状を有し、
前記アンテナは、前記４つの辺の１つであるアンテナ配設辺の近傍にて、当該アンテナ配設辺に沿って伸びるように配設された電子機器。
【００９４】
これによれば、アンテナ配設辺を外部装置に最も近づけた状態にて電子機器を移動させることにより、ユーザが位置合わせを行うことができる。従って、ユーザが容易に位置合わせを行うことができる。
【００９５】
（付記５）
付記４に記載の電子機器であって、
前記アンテナは、前記筐体の端に近づくにつれて、前記アンテナ面と前記正面との間の距離が短くなるように配設された電子機器。
【００９６】
（付記６）
付記１乃至付記５のいずれかに記載の電子機器であって、
前記背面の端部は、前記筐体の端に近づくにつれて、当該背面と前記正面との間の距離が短くなるように湾曲する電子機器。
【００９７】
（付記７）
付記１乃至付記６のいずれかに記載の電子機器であって、
前記アンテナは、前記筐体の内壁面のうちの、前記背面側の部分に当接するように構成された電子機器。
【００９８】
これによれば、筐体の内壁面のうちの、背面側の部分と離隔している場合よりも、電子機器側アンテナ内に形成される外部磁界の大きさを大きくすることができる。
【産業上の利用可能性】
【００９９】
本発明は、近距離無線通信を行うためのアンテナユニット、及び、非接触電力伝送を行うためのアンテナユニット等に適用可能である。
【符号の説明】
【０１００】
１      電子機器
１０    筐体
１１    フロントケース
１２    リヤケース
１２ａ  ユニット配置部
１３    リヤカバー
１４    ディスプレイ
１５    基板
１５ａ，１５ｂ  バネ接点
１６    バッテリ
１７    アンテナユニット
１７１  アンテナ配設部
１７２  被固定部
１７３  端子部
１７３ａ，１７３ｂ  端子
１７４  ＦＰＣ
１７５  ＦＰＣ
１７ａ  基部
１７ｂ  スペーサ
９０    電子機器
ＦＬ    防水フィルム
ＦＳ    正面
ＨＬ１  貫通穴
ＨＬ２  貫通穴
ＭＳ    正面
ＮＳ    背面
ＰＬ１  アンテナ面
ＰＬ２  平面
ＰＲＷ  外部装置側基準位置
ＲＳ    背面
ＳＳ    側面
ＴＰ１，ＴＰ２，ＴＰ３  両面粘着テープ
【図１】
2013089137.tif 000003
【図２】
2013089137.tif 000004
【図３】
2013089137.tif 000005
【図４】
2013089137.tif 000006
【図５】
2013089137.tif 000007
【図６】
2013089137.tif 000008
【図７】
2013089137.tif 000009
【図８】
2013089137.tif 000010
【図９】
2013089137.tif 000011
【図１０】
2013089137.tif 000012
【図１１】
2013089137.tif 000013
【図１２】
2013089137.tif 000014
【図１３】
2013089137.tif 000015
【図１４】
2013089137.tif 000016
【図１５】
2013089137.tif 000017
【図１６】
2013089137.tif 000018
【図１７】
2013089137.tif 000019
【図１８】
2013089137.tif 000020
【図１９】
2013089137.tif 000021
【図２０】
2013089137.tif 000022
【図２１】
2013089137.tif 000023
【図２２】
2013089137.tif 000024
【図２３】
2013089137.tif 000025
【図２４】
2013089137.tif 000026
【図２５】
2013089137.tif 000027
【図２６】
2013089137.tif 000028
【図２７】
2013089137.tif 000029
【図２８】
2013089137.tif 000030
【図２９】
2013089137.tif 000031
【図３０】
2013089137.tif 000032
【図３１】
2013089137.tif 000033